(57)【要約】【課題】吸収性物品（１）の不良品の数を減少させることにある。【解決手段】材料（吸収体（２）、トップシート資材（３）、バックフィルム資材（６）、バック不織布資材（７）、糸ゴム（９）等）を該材料に対応した搬送経路で搬送しながら第一仕様の吸収性物品（１）を製造する製造工程と、前記材料の搬送を維持した状態で、前記搬送経路における互いに異なる位置で複数種類の製造条件を変更することにより、前記第一仕様の吸収性物品（１）の製造から第二仕様の吸収性物品（１）の製造へ切り換える切り換え工程と、を有する吸収性物品製造方法であって、前記切り換え工程においては、前記複数種類の製造条件のうちの第一製造条件を、前記搬送経路における第一位置で変更する変更タイミングよりも、前記第一位置よりも下流側に位置する第二位置で第二製造条件を変更する変更タイミングを遅らせることを特徴とする。【選択図】図４
2019000584.tif 000002
【特許請求の範囲】
【請求項１】
材料を該材料に対応した搬送経路で搬送しながら第一仕様の吸収性物品を製造する製造工程と、
前記材料の搬送を維持した状態で、前記搬送経路における互いに異なる位置で複数種類の製造条件を変更することにより、前記第一仕様の吸収性物品の製造から第二仕様の吸収性物品の製造へ切り換える切り換え工程と、を有する吸収性物品製造方法であって、
前記切り換え工程においては、
前記複数種類の製造条件のうちの第一製造条件を、前記搬送経路における第一位置で変更する変更タイミングよりも、
前記第一位置よりも下流側に位置する第二位置で第二製造条件を変更する変更タイミングを遅らせることを特徴とする吸収性物品製造方法。
【請求項２】
請求項１に記載の吸収性物品製造方法であって、
前記切り換え工程においては、
前記複数種類の製造条件を、前記搬送経路における上流側から順番に変更することを特徴とする吸収性物品製造方法。
【請求項３】
請求項１又は請求項２に記載の吸収性物品製造方法であって、
前記第一仕様の吸収性物品と前記第二仕様の吸収性物品とでは、吸収体の厚みが異なっており、
前記切り換え工程において前記吸収体をプレスするプレス条件を前記製造条件として変更するか否かを、前記厚みの異なり度合いに応じて決定することを特徴とする吸収性物品製造方法。
【請求項４】
請求項１乃至請求項３のいずれかに記載の吸収性物品製造方法であって、
前記第一仕様の吸収性物品と前記第二仕様の吸収性物品とでは、吸収体の厚みが異なっており、
前記切り換え工程において前記吸収体にエンボスを形成するエンボス形成条件を前記製造条件として変更するか否かを、前記厚みの異なり度合いに応じて決定することを特徴とする吸収性物品製造方法。
【請求項５】
請求項１乃至請求項４のいずれかに記載の吸収性物品製造方法であって、
前記第一仕様の吸収性物品と前記第二仕様の吸収性物品とでは、吸収体の目付が異なっており、
前記切り換え工程において前記吸収体をプレスするプレス条件を前記製造条件として変更するか否かを、前記目付の異なり度合いに応じて決定することを特徴とする吸収性物品製造方法。
【請求項６】
請求項１乃至請求項５のいずれかに記載の吸収性物品製造方法であって、
前記第一仕様の吸収性物品と前記第二仕様の吸収性物品とでは、吸収体の目付が異なっており、
前記切り換え工程において前記吸収体にエンボスを形成するエンボス形成条件を前記製造条件として変更するか否かを、前記目付の異なり度合いに応じて決定することを特徴とする吸収性物品製造方法。
【請求項７】
請求項１乃至請求項６のいずれかに記載の吸収性物品製造方法であって、
前記吸収性物品は弾性部材を備え、
前記第一仕様の吸収性物品と前記第二仕様の吸収性物品とでは、前記弾性部材の応力が異なっており、
前記切り換え工程において前記弾性部材に接着剤を塗布する接着剤塗布条件を前記製造条件として変更するか否かを、前記応力の異なり度合いに応じて決定することを特徴とする吸収性物品製造方法。
【請求項８】
請求項１乃至請求項７のいずれかに記載の吸収性物品製造方法であって、
前記吸収性物品を製造する際には、前記材料としてシート状資材を該シート状資材が巻かれた資材コイルから繰り出して搬送し、
前記切り換え工程において前記シート状資材の材質、幅、厚み、目付の少なくとも一つを前記製造条件として変更し、
前記切り換え工程において前記シート状資材のテンション条件を前記製造条件として変更するか否かを、前記材質、幅、厚み、目付の少なくとも一つの変更度合いに応じて決定することを特徴とする吸収性物品製造方法。
【請求項９】
請求項１乃至請求項８のいずれかに記載の吸収性物品製造方法であって、
前記吸収性物品を製造する際には、吸収体の検査を検査部により実行し、
前記吸収体は、パルプ繊維を有し、
前記第一仕様の吸収性物品と前記第二仕様の吸収性物品とでは、前記パルプ繊維の目付が異なっており、
前記切り換え工程において前記検査部による検査条件を前記製造条件として変更するか否かを、前記パルプ繊維の目付の異なり度合いに応じて決定することを特徴とする吸収性物品製造方法。
【請求項１０】
請求項１乃至請求項９のいずれかに記載の吸収性物品製造方法であって、
前記吸収性物品には、プリントが形成されており、
前記切り換え工程において、共通する表示を維持しつつ仕様に係る表示を変更するように、前記プリントの形成条件を前記製造条件として変更することを特徴とする吸収性物品製造方法。
【発明の詳細な説明】
【技術分野】
【０００１】
本発明は、吸収性物品製造方法に関する。
【背景技術】
【０００２】
材料を該材料に対応した搬送経路で搬送しながら吸収性物品を製造する吸収性物品製造方法は既によく知られている。かかる吸収性物品としては、例えば、展開型やパンツ型の使い捨ておむつ、生理用ナプキン等を挙げることができる。
【０００３】
ところで、製造ラインにおいて吸収性物品を製造しているときに、製造する吸収性物品の仕様を客先の依頼等に基づいて変更する場合がある。例えば、客先から出来合い品（既製品）よりも吸収体の厚みが少し大きい吸収性物品の注文（依頼）が入った場合に、出来合い品（第一仕様の吸収性物品）の製造から、出来合い品からのマイナーチェンジ版である注文品（第二仕様の吸収性物品）の製造へ製造ラインを切り換えるケースを挙げることができる。
【０００４】
そして、このような切り換えの際には、搬送経路における互いに異なる位置で複数種類の製造条件を変更する場合がある。
【先行技術文献】
【特許文献】
【０００５】
【特許文献１】国際公開第２０１６／１９１４３８号
【発明の概要】
【発明が解決しようとする課題】
【０００６】
かかる切り換えを行う際に、従来は、製造ラインを一度ストップさせてから（つまり、材料の搬送を一旦停止してから）、切り換えを行っていた。しかしながら、かかる方法においては、生産性が低下する問題が発生することとなる。そこで、製造ラインをストップさせることなく（つまり、材料の搬送を維持した状態で）、切り換えを行うことが考えられる。しかしながら、このような場合には、第一仕様と第二仕様とが混在した吸収性物品（不良品）が生産されてしまう場合があった。
【０００７】
本発明は、上記のような問題に鑑みてなされたものであって、その目的とするところは、吸収性物品の不良品の数を減少させることにある。
【課題を解決するための手段】
【０００８】
上記目的を達成するための主たる発明は、材料を該材料に対応した搬送経路で搬送しながら第一仕様の吸収性物品を製造する製造工程と、
前記材料の搬送を維持した状態で、前記搬送経路における互いに異なる位置で複数種類の製造条件を変更することにより、前記第一仕様の吸収性物品の製造から第二仕様の吸収性物品の製造へ切り換える切り換え工程と、を有する吸収性物品製造方法であって、
前記切り換え工程においては、
前記複数種類の製造条件のうちの第一製造条件を、前記搬送経路における第一位置で変更する変更タイミングよりも、
前記第一位置よりも下流側に位置する第二位置で第二製造条件を変更する変更タイミングを遅らせることを特徴とする吸収性物品製造方法である。
【０００９】
本発明の他の特徴については、本明細書及び添付図面の記載により明らかにする。
【発明の効果】
【００１０】
本発明によれば、吸収性物品の不良品の数を減少させることが可能となる。
【図面の簡単な説明】
【００１１】
【図１】吸収性物品１の製造ラインを示した模式図である。
【図２】比較例を説明するための説明模式図である。
【図３】第一実施形態に係る製造ラインを示した模式図である。
【図４】第一実施形態に係るフローチャートである。
【図５】第一仕様の吸収性物品１と第二仕様の吸収性物品１に印刷されるプリントを示した概念図である。
【図６】第二実施形態に係る製造ラインを示した模式図である。
【図７】第二実施形態に係るフローチャートである。
【図８】第三実施形態に係る製造ラインを示した模式図である。
【図９】第三実施形態に係るフローチャートである。
【発明を実施するための形態】
【００１２】
本明細書及び添付図面の記載により、少なくとも以下の事項が明らかとなる。
【００１３】
材料を該材料に対応した搬送経路で搬送しながら第一仕様の吸収性物品を製造する製造工程と、
前記材料の搬送を維持した状態で、前記搬送経路における互いに異なる位置で複数種類の製造条件を変更することにより、前記第一仕様の吸収性物品の製造から第二仕様の吸収性物品の製造へ切り換える切り換え工程と、を有する吸収性物品製造方法であって、
前記切り換え工程においては、
前記複数種類の製造条件のうちの第一製造条件を、前記搬送経路における第一位置で変更する変更タイミングよりも、
前記第一位置よりも下流側に位置する第二位置で第二製造条件を変更する変更タイミングを遅らせることを特徴とする吸収性物品製造方法。
【００１４】
このような吸収性物品製造方法によれば、吸収性物品の不良品の数を減少させることが可能となる。
【００１５】
かかる吸収性物品製造方法であって、
前記切り換え工程においては、
前記複数種類の製造条件を、前記搬送経路における上流側から順番に変更することが望ましい。
【００１６】
このような吸収性物品製造方法によれば、吸収性物品の不良品の数をより適切に減少させることが可能となる。
【００１７】
かかる吸収性物品製造方法であって、
前記第一仕様の吸収性物品と前記第二仕様の吸収性物品とでは、吸収体の厚みが異なっており、
前記切り換え工程において前記吸収体をプレスするプレス条件を前記製造条件として変更するか否かを、前記厚みの異なり度合いに応じて決定することが望ましい。
【００１８】
このような吸収性物品製造方法によれば、吸収性物品の仕様変更があると常にプレス条件の変更を行うのではなく、異なり度合いが微小なとき等にはプレス条件を変更しないこととなるため、かかる際には不良品の発生を回避できる。また、プレス条件を変更するという決定になったときには、変更タイミングを遅らせる方策により、不良品の数を減らすことが可能となる。
【００１９】
かかる吸収性物品製造方法であって、
前記第一仕様の吸収性物品と前記第二仕様の吸収性物品とでは、吸収体の厚みが異なっており、
前記切り換え工程において前記吸収体にエンボスを形成するエンボス形成条件を前記製造条件として変更するか否かを、前記厚みの異なり度合いに応じて決定することが望ましい。
【００２０】
このような吸収性物品製造方法によれば、吸収性物品の仕様変更があると常にエンボス形成条件の変更を行うのではなく、異なり度合いが微小なとき等にはエンボス形成条件を変更しないこととなるため、かかる際には不良品の発生を回避できる。また、エンボス形成条件を変更するという決定になったときには、変更タイミングを遅らせる方策により、不良品の数を減らすことが可能となる。
【００２１】
かかる吸収性物品製造方法であって、
前記第一仕様の吸収性物品と前記第二仕様の吸収性物品とでは、吸収体の目付が異なっており、
前記切り換え工程において前記吸収体をプレスするプレス条件を前記製造条件として変更するか否かを、前記目付の異なり度合いに応じて決定することが望ましい。
【００２２】
このような吸収性物品製造方法によれば、吸収性物品の仕様変更があると常にプレス条件の変更を行うのではなく、異なり度合いが微小なとき等にはプレス条件を変更しないこととなるため、かかる際には不良品の発生を回避できる。また、プレス条件を変更するという決定になったときには、変更タイミングを遅らせる方策により、不良品の数を減らすことが可能となる。
【００２３】
かかる吸収性物品製造方法であって、
前記第一仕様の吸収性物品と前記第二仕様の吸収性物品とでは、吸収体の目付が異なっており、
前記切り換え工程において前記吸収体にエンボスを形成するエンボス形成条件を前記製造条件として変更するか否かを、前記目付の異なり度合いに応じて決定することが望ましい。
【００２４】
このような吸収性物品製造方法によれば、吸収性物品の仕様変更があると常にエンボス形成条件の変更を行うのではなく、異なり度合いが微小なとき等にはエンボス形成条件を変更しないこととなるため、かかる際には不良品の発生を回避できる。また、エンボス形成条件を変更するという決定になったときには、変更タイミングを遅らせる方策により、不良品の数を減らすことが可能となる。
【００２５】
かかる吸収性物品製造方法であって、
前記吸収性物品は弾性部材を備え、
前記第一仕様の吸収性物品と前記第二仕様の吸収性物品とでは、前記弾性部材の応力が異なっており、
前記切り換え工程において前記弾性部材に接着剤を塗布する接着剤塗布条件を前記製造条件として変更するか否かを、前記応力の異なり度合いに応じて決定することが望ましい。
【００２６】
このような吸収性物品製造方法によれば、吸収性物品の仕様変更があると常に接着剤塗布条件の変更を行うのではなく、異なり度合いが微小なとき等には接着剤塗布条件を変更しないこととなるため、かかる際には不良品の発生を回避できる。また、接着剤塗布条件を変更するという決定になったときには、変更タイミングを遅らせる方策により、不良品の数を減らすことが可能となる。
【００２７】
かかる吸収性物品製造方法であって、
前記吸収性物品を製造する際には、前記材料としてシート状資材を該シート状資材が巻かれた資材コイルから繰り出して搬送し、
前記切り換え工程において前記シート状資材の材質、幅、厚み、目付の少なくとも一つを前記製造条件として変更し、
前記切り換え工程において前記シート状資材のテンション条件を前記製造条件として変更するか否かを、前記材質、幅、厚み、目付の少なくとも一つの変更度合いに応じて決定することが望ましい。
【００２８】
このような吸収性物品製造方法によれば、シート状資材の材質、幅、厚み、目付の少なくとも一つに変更があると常にテンション条件の変更を行うのではなく、変更度合いが微小なとき等にはテンション条件を変更しないこととなるため、かかる際には不良品の発生を回避できる。また、テンション条件を変更するという決定になったときには、変更タイミングを遅らせる方策により、不良品の数を減らすことが可能となる。
【００２９】
かかる吸収性物品製造方法であって、
前記吸収性物品を製造する際には、吸収体の検査を検査部により実行し、
前記吸収体は、パルプ繊維を有し、
前記第一仕様の吸収性物品と前記第二仕様の吸収性物品とでは、前記パルプ繊維の目付が異なっており、
前記切り換え工程において前記検査部による検査条件を前記製造条件として変更するか否かを、前記パルプ繊維の目付の異なり度合いに応じて決定することが望ましい。
【００３０】
このような吸収性物品製造方法によれば、吸収性物品の仕様変更があると常に検査条件の変更を行うのではなく、異なり度合いが微小なとき等には検査条件を変更しないこととなるため、かかる際には不良品の発生を回避できる。また、検査条件を変更するという決定になったときには、変更タイミングを遅らせる方策により、不良品の数を減らすことが可能となる。
【００３１】
かかる吸収性物品製造方法であって、
前記吸収性物品には、プリントが形成されており、
前記切り換え工程において、共通する表示を維持しつつ仕様に係る表示を変更するように、前記プリントの形成条件を前記製造条件として変更することが望ましい。
【００３２】
このような吸収性物品製造方法によれば、プリントの形成条件の変更を最小限に留めつつ、仕様が変更されたことを適切にユーザーに伝達することが可能となる。
【００３３】
＝＝＝本実施の形態に係る吸収性物品製造方法について＝＝＝
本実施の形態に係る吸収性物品製造方法は、吸収性物品１の吸収性物品製造装置１０（製造ライン）で使用される。すなわち、本実施の形態に係る吸収性物品製造方法は、吸収性物品１の製造に供される。
【００３４】
吸収性物品１の例としては、展開型やパンツ型の使い捨ておむつ、生理用ナプキン等を挙げることができるが、着用対象者の排泄液を吸収する物品であればどのようなものでも構わない。
【００３５】
吸収性物品１は、排泄液を吸収する吸収体２と、吸収体の厚さ方向の肌側に配された液透過性のトップシートと、吸収体の非肌側に配されて非肌側への排泄液の漏れを防ぐ液不透過性のバックシートと、弾性部材の一例としての糸ゴム９を有している。そして、バックシートは、バックフィルムとバック不織布とを備え、双方が重なることにより形成されている。
【００３６】
吸収体２は、液体吸収性素材を成形した吸収性コアを有する。液体吸収性素材としては、パルプ繊維及び高吸収性ポリマー（ＳＡＰ）を例示できて、ここでは、これらが使用されている。トップシートやバック不織布の素材例としては、ポリエチレンやポリプロピレン等の熱可塑性樹脂繊維を含有する不織布を挙げることができ、バックフィルムについては、ポリエチレン等の熱可塑性樹脂フィルムを例示できる。
【００３７】
図１は、吸収性物品１の製造ラインを示した模式図である。
トップシートの材料となるトップシート資材３は、シート状資材であり、このトップシート資材３の製造ラインへの搬入は、トップシート資材３がコイル状に巻かれた資材コイル３ａの形態でなされる。すなわち、トップシート資材３が巻かれた資材コイル３ａからトップシート資材３が繰り出され、繰り出されたトップシート資材３は搬送方向（トップシート資材３の連続方向）に不図示の搬送機構によって搬送される。そして、トップシート資材３は、後述するバックシート資材５と合流する合流位置Ａ１へと至ることとなる。
【００３８】
また、同様に、バックシート（バックフィルム及びバック不織布）の材料となるバックフィルム資材６及びバック不織布資材７は、共にシート状資材であり、このバックフィルム資材６及びバック不織布資材７の製造ラインへの搬入は、バックフィルム資材６及びバック不織布資材７がそれぞれコイル状に巻かれた資材コイル６ａ，７ａの形態でなされる。すなわち、バックフィルム資材６及びバック不織布資材７がそれぞれ巻かれた資材コイル６ａ，７ａから、バックフィルム資材６及びバック不織布資材７がそれぞれ繰り出され、繰り出されたバックフィルム資材６及びバック不織布資材７はそれぞれ搬送方向（バックフィルム資材６及びバック不織布資材７の連続方向）に不図示の搬送機構により搬送される。そして、バックフィルム資材６及びバック不織布資材７は、やがて合流位置Ａ２にて合流し、接着剤（本実施の形態においては、ホットメルト接着剤）により接合一体化され、バックシート資材５が生成されることとなる。
【００３９】
なお、ホットメルト接着剤は、バックフィルム資材６及びバック不織布資材７のうちの後者に、合流位置Ａ２の手前で塗布される。すなわち、接着剤塗布装置（第一塗布装置１２とする）が、合流位置Ａ２よりも搬送方向における上流側で、バック不織布資材７にホットメルト接着剤を塗布するようになっている。
【００４０】
また、本実施の形態においては、吸収性物品１にプリントが形成されており、このプリントは、インクジェット装置３１によって、バックフィルム資材６に印刷される。すなわち、インクジェット装置３１が、合流位置Ａ２よりも搬送方向における上流側で、バックフィルム資材６にプリントを印刷するようになっている。
【００４１】
生成されたバックシート資材５は、搬送方向（バックシート資材５の連続方向）に不図示の搬送機構により搬送され、やがて、トップシート資材３と合流する合流位置Ａ１へと至ることとなる。
【００４２】
また、吸収体２（材料であり、かつ、製品の一部である）は、パルプ繊維と高吸収性ポリマー（ＳＡＰ）とを単票状に成形することにより生成される。吸収体２は、回転ドラム２１ａと散布ダクト（不図示）を有する積繊ドラム装置２１により生成される。回転ドラム２１ａの外周面には、回転方向に製品ピッチＤ１で複数の凹部が形成され、散布ダクトにより当該外周面（凹部）に向けてパルプ繊維と高吸収性ポリマー（ＳＡＰ）が散布される。そして、凹部に、パルプ繊維と高吸収性ポリマー（ＳＡＰ）が積層されて、これにより凹部に吸収体２が生成される。凹部内の吸収体２は、ベルトコンベア２３へ引き渡され、その後、吸収体２は、ベルトコンベア２３によって製品ピッチＤ１で並んだ状態で搬送方向に搬送される。
【００４３】
そして、吸収体２は、やがて吸収体プレス装置２５に至り、当該吸収体プレス装置２５によりプレスされる。吸収体プレス装置２５は、互いに対向する二つのプレスローラー２５ａを備え、当該プレスローラー２５ａの間の隙間（クリアランス）の大きさが管理されている。そして、吸収体２が、この隙間（クリアランス）を通過することによりプレス（圧縮）されることとなる。
【００４４】
吸収体プレス装置２５を通過した吸収体２は、さらに搬送方向に搬送され、やがてエンボス形成装置２７に至る。そして、当該エンボス形成装置２７により、吸収体２にはエンボスが形成される。このエンボスにより、吸収体２における排泄液の広がり度合い等を制御することが可能となる。エンボス形成装置２７は、互いに対向する二つのエンボス形成ローラー２７ａを備えており、これらのエンボス形成ローラー２７ａ間に吸収体２が挟まれることにより、エンボスが吸収体２に形成される。なお、詳しくは後述するが、本実施の形態においては、互いに異なる仕様の吸収性物品１（第一仕様の吸収性物品１及び第二仕様の吸収性物品１）を製造するために、２組（第一仕様用と第二仕様用）のエンボス形成装置２７（第一仕様用について第一エンボス形成装置２７ｂ、第二仕様用について第二エンボス形成装置２７ｃとする）が用意されている。
【００４５】
エンボス形成装置２７を通過した吸収体２は、さらに搬送方向に搬送され、やがて、トップシート資材３及びバックシート資材５と合流する合流位置Ａ１に至ることとなる。
【００４６】
そして、合流位置Ａ１では、吸収体２、トップシート資材３、及び、バックシート資材５がホットメルト接着剤により接合一体化され、基材シート８が生成されることとなる。
【００４７】
なお、ホットメルト接着剤は、トップシート資材３及びバックシート資材５に、合流位置Ａ１の手前で塗布される。すなわち、接着剤塗布装置（第二塗布装置１３とする）が、合流位置Ａ１よりも搬送方向における上流側で、トップシート資材３にホットメルト接着剤を塗布し、接着剤塗布装置（第三塗布装置１４とする）が、合流位置Ａ１よりも搬送方向における上流側で、バックシート資材５にホットメルト接着剤を塗布するようになっている。
【００４８】
また、合流位置Ａ１には、糸ゴム９（材料であり、かつ、製品の一部である）も搬送され、糸ゴム９も、吸収体２、トップシート資材３、及び、バックシート資材５と共に接合一体化される（すなわち、基材シート８には糸ゴム９が含まれる）。糸ゴム９は、糸ゴム９がコイル状に巻かれた保持部（便宜上、糸ゴムコイル９ａと呼ぶ）から繰り出され、繰り出された糸ゴム９は搬送方向（糸ゴム９の連続方向）に不図示の搬送機構により搬送される。糸ゴム９には、合流位置Ａ１の手前で、ホットメルト接着剤が塗布される。すなわち、接着剤塗布装置（第四塗布装置１５とする）が、合流位置Ａ１よりも搬送方向における上流側で、糸ゴム９にホットメルト接着剤を塗布するようになっている。
【００４９】
生成された基材シート８は、さらに搬送方向に搬送され、やがて、エンドカッター２９に至る。そして、エンドカッター２９により基材シート８が切断され、吸収性物品１が製造される。
【００５０】
なお、本実施の形態においては、検査部の一例としての検査カメラ装置３３で吸収性物品１（吸収体２）の検査を実行するようになっている。検査カメラ装置３３は、エンボス形成装置２７よりも下流側かつ合流位置Ａ１よりも上流側の搬送経路において、吸収体２を撮影し、撮影された画像に対し二値化の画像処理を施す。そして、検査カメラ装置３３は、黒色部を液体吸収性素材が正常に存在する正常部、白色部を液体吸収性素材が欠損している異常部と判断することにより、吸収性物品１（吸収体２）における不良の有無を判定する。
【００５１】
また、本実施の形態においては、シート状資材（トップシート資材３、バックフィルム資材６、バック不織布資材７）のテンション（張力）をコントロールするテンション調整装置３５（所謂ダンサーユニット）が、各々のシート状資材に対応させて複数備えられている。すなわち、トップシート資材３のテンション（張力）をコントロールするテンション調整装置３５（第一テンション調整装置３６とする）が、資材コイル３ａの下流側の搬送経路に設けられ、バックフィルム資材６のテンション（張力）をコントロールするテンション調整装置３５（第二テンション調整装置３７とする）が、資材コイル６ａの下流側の搬送経路に設けられ、バック不織布資材７のテンション（張力）をコントロールするテンション調整装置３５（第三テンション調整装置３８とする）が、資材コイル７ａの下流側の搬送経路に設けられており、各々のテンション調整装置３５の移動ロール３５ａがその位置を変えることによりテンション（張力）が調整されるようになっている。
【００５２】
＜＜＜本実施の形態に係る切り換え工程について＞＞＞
ところで、製造ライン（吸収性物品製造装置１０）において吸収性物品１を製造しているときに、製造する吸収性物品１の仕様を客先の依頼等に基づいて変更する場合がある。例えば、客先から出来合い品（既製品）よりも吸収体２の厚みが少し大きい吸収性物品１の注文（依頼）が入った場合に、出来合い品（第一仕様の吸収性物品１）の製造から、出来合い品からのマイナーチェンジ版である注文品（第二仕様の吸収性物品１）の製造へ製造ライン（吸収性物品製造装置１０）を切り換えるケースを挙げることができる。
【００５３】
そして、このような切り換えの際には、搬送経路における互いに異なる位置で複数種類の製造条件を変更する場合がある。例えば、液体吸収性素材（パルプ繊維や高吸収性ポリマー（ＳＡＰ））の量を多くするために積繊ドラム装置２１の製造条件（つまり、吸収体材料供給条件）を変更し、かつ、吸収体プレス装置２５の製造条件（プレス条件）を変更する（すなわち、クリアランスを広げる）。
【００５４】
かかる切り換えを行う際に、従来は、製造ラインを一度ストップさせてから（つまり、材料の搬送を一旦停止してから）、切り換えを行っていた。しかしながら、かかる方法においては、生産性が低下する問題が発生することとなる。そこで、製造ラインをストップさせることなく（つまり、材料の搬送を維持した状態で）、切り換えを行うことが考えられる。しかしながら、このような場合には、以下のような別の問題が生じ得る。
【００５５】
当該問題について、図２を用いて説明する。図２は、比較例を説明するための説明模式図である。第一仕様の吸収性物品１を製造する製造工程を実施しているときに、前述した注文（依頼）が入った場合には、材料の搬送を維持した状態で、搬送経路における互いに異なる位置で複数種類の製造条件を変更する。すなわち、位置Ｐ１で積繊ドラム装置２１の製造条件（吸収体材料供給条件）を変更し、位置Ｐ２で吸収体プレス装置２５の製造条件（プレス条件）を変更することとなる。
【００５６】
しかしながら、このような変更を行うと、符号Ｘで示した吸収体２は、変更前の吸収体材料供給条件で既に形成され、液体吸収性素材の量については第一仕様の吸収性物品１に対応したものであるにもかかわらず、変更後のプレス条件、すなわち、第二仕様の吸収性物品１に対応したプレス条件でプレスされることとなるため、第一仕様と第二仕様とが混在した吸収性物品１となってしまう（このような吸収性物品１は、不良品となってしまう）。
【００５７】
そこで、本実施の形態においては、複数種類の製造条件のうちの第一製造条件（すなわち、吸収体材料供給条件）を、搬送経路における第一位置（すなわち、位置Ｐ１）で変更する変更タイミングよりも、第一位置（位置Ｐ１）よりも下流側に位置する第二位置（すなわち、位置Ｐ２）で第二製造条件（すなわち、プレス条件）を変更する変更タイミングを遅らせる。そして、このことにより、符号Ｘで示した吸収体２に、変更前の吸収体材料供給条件とプレス条件とを適用することが可能となる。そのため、第一仕様と第二仕様とが混在した吸収性物品１、すなわち、不良品の数を減少させることができる。
【００５８】
上記においては、本願発明の主旨を分かり易く説明するために、２種類の製造条件のみを変更する簡易的な例を挙げたが、以下では、より実際の例に則した３つの実施形態（第一実施形態乃至第三実施形態と呼ぶ）を例に挙げて説明する。
【００５９】
＜第一実施形態について＞
図３は、第一実施形態に係る製造ラインを示した模式図である。図４は、第一実施形態に係るフローチャートである。
【００６０】
先ず、出来合い品（第一仕様の吸収性物品１）を製造する製造工程を実行しているときに（ステップＳ１）、出来合い品よりも吸収体２とバックフィルムの厚みが少し大きい吸収性物品１の注文（依頼）が入ったとする。この注文（依頼）は、通常よりも若干多い排泄液に対応可能な商品を想定している。
【００６１】
かかる場合には、出来合い品（第一仕様の吸収性物品１）の製造から、出来合い品からのマイナーチェンジ版である注文品（第二仕様の吸収性物品１）の製造へ製造ライン（吸収性物品製造装置１０）を切り換えることとなるが、切り替えを実行する前に、幾つかの製造条件について、その製造条件の変更を行うかどうかについて決定する。
【００６２】
すなわち、本実施の形態においては、積繊ドラム装置２１の製造条件（吸収体材料供給条件）を変更して、液体吸収性素材（パルプ繊維や高吸収性ポリマー（ＳＡＰ））の量を多くするが、吸収体プレス装置２５の製造条件（プレス条件）とエンボス形成装置２７の製造条件（エンボス形成条件）については、製造条件（プレス条件、エンボス形成条件）を、吸収体２の厚みの異なり度合い（つまり、第一仕様から第二仕様への変更時に吸収体２の厚みをどれだけ変えるか）に応じて、変えたり変えなかったりする。これは、吸収体２の厚みの異なり度合いが微小（例えば、１割減以上１割増以下）である場合には、製造条件（プレス条件、エンボス形成条件）を変えなくても対応できるからである。ここでは、プレス条件とエンボス形成条件を変更するか否かを、吸収体２の厚みの異なり度合いに応じて決定した結果（ステップＳ３、ステップＳ５）、双方とも変更することになったとする。
【００６３】
また、シート状資材供給条件（ここでは、バックフィルム資材供給条件）を変更して、バックフィルム資材６を厚みの大きいものに変更するが、かかる際に、バックフィルム資材６のテンション条件（具体的には、テンション値）を、バックフィルム資材６の厚みの変更度合いに応じて、変えたり変えなかったりする。これは、バックフィルム資材６の厚みの変更度合いが微小（例えば、１割減以上１割増以下）である場合には、テンション条件を変えなくてもよいが、変更度合いが大きい場合には、テンション条件を変える必要があるからである。ここでは、テンション条件を変更するか否かを、バックフィルム資材６の厚みの変更度合いに応じて、決定した結果（ステップＳ７）、変更しないことになったとする。
【００６４】
また、本実施の形態においては、吸収性物品１の仕様が第一仕様から第二仕様に変更されると、この仕様変更に応じた前記プリントの変更を行うようになっている。したがって、当該プリントの変更を行うために、インクジェット装置３１の製造条件（プリントの形成条件）が変更される。
【００６５】
図５は、第一仕様の吸収性物品１と第二仕様の吸収性物品１に印刷されるプリントを示した概念図である。左図が第一仕様に対応したプリントを、右図が第二仕様のプリントを、それぞれ表している。このように、本実施の形態においては、共通する表示（本実施の形態においては、キャラクター絵柄）を維持しつつ仕様に係る表示を変更する（本実施の形態においては、「普通」→「多め」）。そして、このような維持及び変更を実現するように、プリントの形成条件を変更することとなる。
【００６６】
以上で説明したように、本実施の形態においては、出来合い品（第一仕様の吸収性物品１）の製造から、注文品（第二仕様の吸収性物品１）の製造へ製造ライン（吸収性物品製造装置１０）を切り換える際に、吸収体材料供給条件、プレス条件、エンボス形成条件、バックフィルム資材供給条件、プリント形成条件を変更することとなる。
【００６７】
例えば、液体吸収性素材（パルプ繊維や高吸収性ポリマー（ＳＡＰ））の量が多くなるように吸収体材料供給条件を変更する。
【００６８】
また、クリアランスを広げるようにプレス条件を変更する。
【００６９】
また、エンボスパターンが厚みの大きい吸収体２に対応したものとなるようにエンボスパターン形成条件を変更する。具体的には、第一仕様用の第一エンボス形成装置２７ｂから第二仕様用の第二エンボス形成装置２７ｃへエンボス形成装置２７を切り換えて、エンボスパターンを変更する。なお、かかる場合には、第二エンボス形成装置２７ｃへの切り換えとなるので、エンボス形成条件は、図３の位置Ｐ３’ではなく、位置Ｐ３で変更されることとなる。
【００７０】
また、バックフィルム資材６がより厚い資材となるように、バックフィルム資材供給条件を変更する。具体的には、第二仕様に対応したバックフィルム資材６（より厚いバックフィルム資材６）が巻かれた資材コイル６ａを準備し、当該第二仕様に対応したバックフィルム資材６を、搬送中の第一仕様に対応したバックフィルム資材６に、公知の方法で継ぐ（この資材継ぎは、バックフィルム資材６の搬送を止めずに行うことができる）。なお、バックフィルム資材供給条件が変更される位置（図３の位置Ｐ４）は、資材が継がれる位置となる。
【００７１】
また、図５の右図に示したプリントが形成されるように、プリント形成条件を変更する。
【００７２】
そして、かかる変更を行う際には、複数種類の製造条件のうちの第一製造条件を、搬送経路における第一位置で変更する変更タイミングよりも、第一位置よりも下流側に位置する第二位置で第二製造条件を変更する変更タイミングを遅らせる。さらに、本実施の形態においては、５つの製造条件について、変更タイミングを下流のものほど後にする。つまり、５つの製造条件を、搬送経路における上流側から順番に変更する。
【００７３】
ここで、「搬送経路における上流側（下流側）」の定義について説明する。すなわち、複数の位置のどちらが上流（下流）であるか特定する方法について説明する。先ず、「搬送経路」がどこになるかは、製造条件が変更される位置がどこであるかに依存する。つまり、前述した簡易的な例では、位置Ｐ１と位置Ｐ２のみが当該位置であったので、位置Ｐ１と位置Ｐ２が共通して存在する吸収体２の移動経路（ベルトコンベア２３）が「搬送経路」となる（図２の太線参照）。そして、かかる場合には、「搬送経路」が合流（分岐）のない一本線となるので、搬送方向における手前側の位置が上流側となり、奥側の位置が下流側となる。
【００７４】
一方、第一実施形態においては、図３に示すように、位置Ｐ１で吸収体材料供給条件を変更し、位置Ｐ２でプレス条件を変更し、位置Ｐ３でエンボス形成条件を変更し、位置Ｐ４でバックフィルム資材供給条件を変更し、位置Ｐ５でプリント形成条件を変更する。そのため、「搬送経路」は、吸収体２の移動経路とバックフィルム資材６（及びバックシート資材５）の移動経路を合わせたものとなる（図３の太線参照）。つまり、前記簡易的な例とは異なり、第一実施形態においては、「搬送経路」が合流（分岐）のある線となる。
【００７５】
そして、この場合には、最も下流の合流位置（今回の例では、合流位置が一つしかないため、合流位置Ａ１）を基準にして、「上流側（下流側）」の判断を行う。さらに、当該判断は製品ピッチのピッチ数で（製品ピッチを単位として）行われる。
【００７６】
具体的に説明する。合流位置Ａ１から（を基準とした）位置Ｐ１までの距離（移動経路の長さ）をＬ１とし、吸収体２の移動経路における製品ピッチをＤ１（図３参照）とする。合流位置Ａ１から位置Ｐ１までのピッチ数は、Ｎ１（＝Ｌ１／Ｄ１）ピッチとなる。同様の方法で、合流位置Ａ１から位置Ｐ２までのピッチ数Ｎ２、合流位置Ａ１から位置Ｐ３までのピッチ数Ｎ３、合流位置Ａ１から位置Ｐ４までのピッチ数Ｎ４、合流位置Ａ１から位置Ｐ５までのピッチ数Ｎ５を求めることができる。そして、ピッチ数を比較した際にその数が大きい方が上流側に位置すると判断する。ここでは、Ｎ３＜Ｎ２＜Ｎ５＜Ｎ１＜Ｎ４であり、したがって、位置Ｐ３が最も下流であり、位置Ｐ２、位置Ｐ５、位置Ｐ１、位置Ｐ４の順に上流になっていく。なお、製品ピッチは、吸収体２の移動経路とバックフィルム資材６の移動経路とで異なるのが通常なので（図３のＤ１とＤ２の長さ参照）、単純に距離を用いて「上流側（下流側）」の判断を行うと誤る場合がある（ピッチ数による判断と距離による判断は必ずしも一致しない）。
【００７７】
なお、言うまでも無く、かかるピッチ数による判断は、前述した「搬送経路」が一本線の例にも適用可能である。
【００７８】
そして、本実施の形態においては、５つの製造条件を、搬送経路における上流側から順番に変更する。すなわち、先ず、バックフィルム資材供給条件を変更する（ステップＳ９）。その後、時間を遅らせて、吸収体材料供給条件を変更する（ステップＳ１１）。その後、時間を遅らせて、プリント形成条件を変更する（ステップＳ１３）。その後、時間を遅らせて、プレス条件を変更する（ステップＳ１５）。その後、時間を遅らせて、エンボス形成条件を変更する（ステップＳ１７）。なお、時間をどのくらい遅らせるかについては、二つの（前後の）製造条件のピッチ数の差を生産スピード（１秒間に何枚の吸収性物品が製造されるか）で割った値とするのが、不良品の数を最小にする観点から望ましい。例えば、生産スピードがＳ（枚／秒）だとすれば、バックフィルム資材供給条件の変更から（Ｎ４−Ｎ１）／Ｓ（秒）後に吸収体材料供給条件を変更するのが望ましい。
【００７９】
上述したように、本実施の形態に係る吸収性物品製造方法は、材料（吸収体２、トップシート資材３、バックフィルム資材６、バック不織布資材７、糸ゴム９等）を該材料に対応した搬送経路で搬送しながら第一仕様の吸収性物品１を製造する製造工程と、材料の搬送を維持した状態で、搬送経路における互いに異なる位置で複数種類の製造条件を変更することにより、第一仕様の吸収性物品１の製造から第二仕様の吸収性物品１の製造へ切り換える切り換え工程と、を有することとした。そして、切り換え工程においては、複数種類の製造条件のうちの第一製造条件を、搬送経路における第一位置で変更する変更タイミングよりも、第一位置よりも下流側に位置する第二位置で第二製造条件を変更する変更タイミングを遅らせることとした。
【００８０】
そのため、前述した通り、第一仕様と第二仕様とが混在した吸収性物品１、すなわち、不良品の数を減少させることができる。
【００８１】
また、本実施の形態に係る切り換え工程においては、複数種類の製造条件を、搬送経路における上流側から順番に変更することとした。つまり、第一製造条件を第一位置で変更する変更タイミングよりも第一位置よりも下流側に位置する第二位置で第二製造条件を変更する変更タイミングを遅らせる方策を、複数種類の製造条件の全てについて確実に行われるようにした。そのため、不良品の数をより適切に減少させることが可能となる。
【００８２】
また、本実施の形態においては、第一仕様の吸収性物品１と第二仕様の吸収性物品１とでは、吸収体２の厚みが異なっており、ステップＳ３に示した通り、切り換え工程において吸収体２をプレスするプレス条件を前記製造条件として変更するか否かを、前記厚みの異なり度合いに応じて決定することとした。
【００８３】
そのため、吸収性物品１の仕様変更があると常にプレス条件の変更を行うのではなく、異なり度合いが微小なとき等にはプレス条件を変更しないこととなるため、かかる際には不良品の発生を回避できる。また、プレス条件を変更するという決定になったときには、前述した変更タイミングを遅らせる方策により、不良品の数を減らすことが可能となる。
【００８４】
また、本実施の形態においては、第一仕様の吸収性物品１と第二仕様の吸収性物品１とでは、吸収体２の厚みが異なっており、ステップＳ５に示した通り、切り換え工程において吸収体２にエンボスを形成するエンボス形成条件を前記製造条件として変更するか否かを、前記厚みの異なり度合いに応じて決定することとした。
【００８５】
そのため、吸収性物品１の仕様変更があると常にエンボス形成条件の変更を行うのではなく、異なり度合いが微小なとき等にはエンボス形成条件を変更しないこととなるため、かかる際には不良品の発生を回避できる。また、エンボス形成条件を変更するという決定になったときには、前述した変更タイミングを遅らせる方策により、不良品の数を減らすことが可能となる。
【００８６】
また、本実施の形態において、吸収性物品１を製造する際には、材料としてバックフィルム資材６を該バックフィルム資材６が巻かれた資材コイル６ａから繰り出して搬送し、切り換え工程においてバックフィルム資材６の材質、幅、厚み、目付の少なくとも一つ（本実施の形態においては、厚みとしたが、材質、幅、目付が変更される場合も同様に適用可能である）を前記製造条件として変更し、切り換え工程においてバックフィルム資材６のテンション条件を前記製造条件として変更するか否かを、前記材質、幅、厚み、目付の少なくとも一つの変更度合いに応じて決定することとした。
【００８７】
そのため、バックフィルム資材６の材質、幅、厚み、目付の少なくとも一つに変更があると常にテンション条件の変更を行うのではなく、変更度合いが微小なとき等にはテンション条件を変更しないこととなるため、かかる際には不良品の発生を回避できる。また、テンション条件を変更するという決定になったときには、前述した変更タイミングを遅らせる方策により、不良品の数を減らすことが可能となる。
【００８８】
なお、本実施の形態においては、材料としてバックフィルム資材６を例に挙げたが、これに限定されるものではなく、他のシート状資材にも適用可能である。例えば、トップシート資材３、バック不織布資材７にも適用可能であり、その場合には、これらのシート状資材についてテンション条件の変更有無が決定されることとなる。
【００８９】
また、本実施の形態に係る吸収性物品１には、プリントが形成されており、切り換え工程において、共通する表示を維持しつつ仕様に係る表示を変更するように、プリントの形成条件を前記製造条件として変更することとした。
【００９０】
そのため、プリントの形成条件の変更を最小限に留めつつ、仕様が変更されたこと（仕様がマイナーチェンジしたこと）を適切にユーザーに伝達することが可能となる。
【００９１】
＜第二実施形態について＞
次に、第二実施形態について、図６及び図７を用いて説明する。  図６は、第二実施形態に係る製造ラインを示した模式図である。図７は、第二実施形態に係るフローチャートである。
【００９２】
第一実施形態においては、第一仕様の吸収性物品１と第二仕様の吸収性物品１とで吸収体２の厚みが異なる例を挙げたが、第二実施形態においては、吸収体２の厚みではなく目付が異なっている。また、吸収体２の目付が異なることに伴い、吸収体２内のパルプ繊維の目付も異なっているので、検査に異常が生じないように検査カメラ装置３３による検査条件（具体的には、前記二値化の画像処理の閾値）を変更する。
【００９３】
先ず、出来合い品（第一仕様の吸収性物品１）を製造する製造工程を実行しているときに（ステップＳ１）、出来合い品よりも吸収体２の目付とバックフィルムの厚みが少し大きい吸収性物品１の注文（依頼）が入ったとする。この注文（依頼）は、通常よりも若干多い排泄液に対応可能な商品を想定している。
【００９４】
かかる場合には、出来合い品（第一仕様の吸収性物品１）の製造から、出来合い品からのマイナーチェンジ版である注文品（第二仕様の吸収性物品１）の製造へ製造ライン（吸収性物品製造装置１０）を切り換えることとなるが、切り替えを実行する前に、幾つかの製造条件について、その製造条件の変更を行うかどうかについて決定する。
【００９５】
すなわち、本実施の形態においては、積繊ドラム装置２１の製造条件（吸収体材料供給条件）を変更して、液体吸収性素材（パルプ繊維や高吸収性ポリマー（ＳＡＰ））の量を多くするが、吸収体プレス装置２５の製造条件（プレス条件）とエンボス形成装置２７の製造条件（エンボス形成条件）については、製造条件（プレス条件、エンボス形成条件）を、吸収体２の目付の異なり度合い（つまり、第一仕様から第二仕様への変更時に吸収体２の目付をどれだけ変えるか）に応じて、変えたり変えなかったりする。これは、吸収体２の目付の異なり度合いが微小（例えば、１割減以上１割増以下）である場合には、製造条件（プレス条件、エンボス形成条件）を変えなくても対応できるからである。ここでは、プレス条件とエンボス形成条件を変更するか否かを、吸収体２の目付の異なり度合いに応じて決定した結果（ステップＳ３、ステップＳ５）、双方とも変更することになったとする。
【００９６】
また、検査カメラ装置３３による検査条件（具体的には、前記二値化の画像処理の閾値）を、パルプ繊維の目付の異なり度合いに応じて、変えたり変えなかったりする。これは、パルプ繊維の目付の異なり度合いが微小（例えば、１割減以上１割増以下）である場合には、検査条件を変えなくても正確な検査が維持できるが、異なり度合いが大きい場合には、閾値を変えないと、検査異常（誤診断）が生ずるからである。ここでは、閾値を変更するか否かを、パルプ繊維の目付の異なり度合いに応じて、決定した結果（ステップＳ６）、変更することになったとする。
【００９７】
また、ステップＳ７及びステップＳ９については、第一実施形態のステップＳ７及びステップＳ９と同様、バックフィルム資材供給条件とプリントの形成条件を変更し、テンション条件を変更しない。
【００９８】
以上で説明したように、本実施の形態においては、出来合い品（第一仕様の吸収性物品１）の製造から、注文品（第二仕様の吸収性物品１）の製造へ製造ライン（吸収性物品製造装置１０）を切り換える際に、吸収体材料供給条件、プレス条件、エンボス形成条件、バックフィルム資材供給条件、プリント形成条件、検査条件を変更することとなる。
【００９９】
例えば、液体吸収性素材（パルプ繊維や高吸収性ポリマー（ＳＡＰ））の量が多くなるように吸収体材料供給条件を位置Ｐ１で変更する。
【０１００】
また、クリアランスを広げるようにプレス条件を位置Ｐ２で変更する。
【０１０１】
また、エンボスパターンが目付の大きい吸収体２に対応したものとなるようにエンボスパターン形成条件を位置Ｐ３変更する。具体的には、第一仕様用の第一エンボス形成装置２７ｂから第二仕様用の第二エンボス形成装置２７ｃへエンボス形成装置２７を切り換えて、エンボスパターンを変更する。
【０１０２】
また、バックフィルム資材６がより厚い資材となるように、バックフィルム資材供給条件を位置Ｐ４で変更する。
【０１０３】
また、図５の右図に示したプリントが形成されるように、プリント形成条件を位置Ｐ５で変更する。
【０１０４】
また、パルプ繊維の目付が変更になった後でも、二値化後の黒色部を正常部と正しく判断し、かつ、白色部を異常部と正しく判断できるように、検査条件（二値化の画像処理の閾値）を位置Ｐ６で変更する。
【０１０５】
そして、かかる変更を行う際には、複数種類の製造条件のうちの第一製造条件を、搬送経路における第一位置で変更する変更タイミングよりも、第一位置よりも下流側に位置する第二位置で第二製造条件を変更する変更タイミングを遅らせる。さらに、本実施の形態においては、６つの製造条件について、変更タイミングを下流のものほど後にする。つまり、６つの製造条件を、搬送経路における上流側から順番に変更する。
【０１０６】
すなわち、位置Ｐ６が最も下流であり、位置Ｐ３、位置Ｐ２、位置Ｐ５、位置Ｐ１、位置Ｐ４の順に上流になっていくため、先ず、バックフィルム資材供給条件を変更する（ステップＳ９）。その後、時間を遅らせて、吸収体材料供給条件を変更する（ステップＳ１１）。その後、時間を遅らせて、プリント形成条件を変更する（ステップＳ１３）。その後、時間を遅らせて、プレス条件を変更する（ステップＳ１５）。その後、時間を遅らせて、エンボス形成条件を変更する（ステップＳ１７）。その後、時間を遅らせて、検査条件を変更する（ステップＳ１９）。
【０１０７】
上述したように、第二実施形態においても、第一実施形態と同様、切り換え工程においては、複数種類の製造条件のうちの第一製造条件を、搬送経路における第一位置で変更する変更タイミングよりも、第一位置よりも下流側に位置する第二位置で第二製造条件を変更する変更タイミングを遅らせることとした。
【０１０８】
そのため、第一仕様と第二仕様とが混在した吸収性物品１、すなわち、不良品の数を減少させることができる。
【０１０９】
また、複数種類の製造条件を、搬送経路における上流側から順番に変更することとしたため、不良品の数をより適切に減少させることが可能となる。
【０１１０】
また、本実施の形態においては、第一仕様の吸収性物品１と第二仕様の吸収性物品１とでは、吸収体２の目付が異なっており、ステップＳ３に示した通り、切り換え工程において吸収体２をプレスするプレス条件を前記製造条件として変更するか否かを、前記目付の異なり度合いに応じて決定することとした。
【０１１１】
そのため、吸収性物品１の仕様変更があると常にプレス条件の変更を行うのではなく、異なり度合いが微小なとき等にはプレス条件を変更しないこととなるため、かかる際には不良品の発生を回避できる。また、プレス条件を変更するという決定になったときには、前述した変更タイミングを遅らせる方策により、不良品の数を減らすことが可能となる。
【０１１２】
また、本実施の形態においては、第一仕様の吸収性物品１と第二仕様の吸収性物品１とでは、吸収体２の目付が異なっており、ステップＳ５に示した通り、切り換え工程において吸収体２にエンボスを形成するエンボス形成条件を前記製造条件として変更するか否かを、前記目付の異なり度合いに応じて決定することとした。
【０１１３】
そのため、吸収性物品１の仕様変更があると常にエンボス形成条件の変更を行うのではなく、異なり度合いが微小なとき等にはエンボス形成条件を変更しないこととなるため、かかる際には不良品の発生を回避できる。また、エンボス形成条件を変更するという決定になったときには、前述した変更タイミングを遅らせる方策により、不良品の数を減らすことが可能となる。
【０１１４】
また、本実施の形態においては、吸収性物品１を製造する際には、吸収体２の検査を検査カメラ装置３３により実行し、吸収体２は、パルプ繊維を有し、第一仕様の吸収性物品１と第二仕様の吸収性物品１とでは、パルプ繊維の目付が異なっており、切り換え工程において検査カメラ装置３３による検査条件を前記製造条件として変更するか否かを、パルプ繊維の目付の異なり度合いに応じて決定することとした。
【０１１５】
そのため、吸収性物品１の仕様変更があると常に検査条件の変更を行うのではなく、異なり度合いが微小なとき等には検査条件を変更しないこととなるため、かかる際には不良品の発生を回避できる。また、検査条件を変更するという決定になったときには、前述した変更タイミングを遅らせる方策により、不良品の数を減らすことが可能となる。
【０１１６】
＜第三実施形態について＞
次に、第三実施形態について、図８及び図９を用いて説明する。  図８は、第三実施形態に係る製造ラインを示した模式図である。図９は、第三実施形態に係るフローチャートである。
【０１１７】
第一及び第二実施形態においては、吸収体２に係る仕様変更がある場合について述べたが、第三実施形態においては、第一仕様の吸収性物品１と第二仕様の吸収性物品１とで糸ゴム９の応力が異なる。ここで、糸ゴム９の応力とは、糸ゴム９の１本当たりの収縮力である。本実施の形態においては、糸ゴム９の応力を異ならせる例として、糸ゴム９を応力の大きいものに入れ換える例を挙げるが、例えば、糸ゴム９の倍率を変更する例であってもよい。
【０１１８】
先ず、出来合い品（第一仕様の吸収性物品１）を製造する製造工程を実行しているときに（ステップＳ１）、出来合い品よりも糸ゴム９の応力がより大きい吸収性物品１の注文（依頼）が入ったとする。この注文（依頼）は、装着時に通常よりもずれにくい（落ちにくい）商品を想定している。
【０１１９】
かかる場合には、出来合い品（第一仕様の吸収性物品１）の製造から、出来合い品からのマイナーチェンジ版である注文品（第二仕様の吸収性物品１）の製造へ製造ライン（吸収性物品製造装置１０）を切り換えることとなるが、切り替えを実行する前に、糸ゴム９に接着剤を塗布する接着剤塗布条件の変更を行うかどうかについて決定する。
【０１２０】
すなわち、本実施の形態においては、糸ゴム供給条件を変更して、糸ゴム９を応力の大きいものに変更するが、第四塗布装置１５の製造条件（接着剤塗布条件）については、接着剤塗布条件（具体的には、ホットメルト接着剤の塗布量）を、応力の異なり度合い（つまり、第一仕様から第二仕様への変更時に応力をどれだけ変えるか）に応じて、変えたり変えなかったりする。これは、応力の異なり度合いが微小（例えば、１割減以上１割増以下）である場合には、接着剤塗布条件（塗布量）を変えなくても対応できるからである。ここでは、接着剤塗布条件（塗布量）を変更するか否かを、応力の異なり度合いに応じて決定した結果（ステップＳ３）、変更することになったとする。
【０１２１】
したがって、本実施の形態においては、出来合い品（第一仕様の吸収性物品１）の製造から、注文品（第二仕様の吸収性物品１）の製造へ製造ライン（吸収性物品製造装置１０）を切り換える際に、糸ゴム供給条件及び接着剤塗布条件を変更することとなる。
【０１２２】
例えば、糸ゴム９が応力の大きいものとなるように糸ゴム供給条件を位置Ｐ７で変更する。
【０１２３】
また、塗布量を多くするように接着剤塗布条件を位置Ｐ８で変更する。
【０１２４】
そして、かかる変更を行う際には、複数種類の製造条件のうちの第一製造条件を、搬送経路における第一位置で変更する変更タイミングよりも、第一位置よりも下流側に位置する第二位置で第二製造条件を変更する変更タイミングを遅らせる。すなわち、先ず、位置Ｐ７で糸ゴム供給条件を変更する（ステップＳ５）。その後、時間を遅らせて、位置Ｐ８で接着剤塗布条件を変更する（ステップＳ７）。
【０１２５】
上述したように、第三実施形態においても、第一実施形態及び第二実施形態と同様、切り換え工程においては、複数種類の製造条件のうちの第一製造条件を、搬送経路における第一位置で変更する変更タイミングよりも、第一位置よりも下流側に位置する第二位置で第二製造条件を変更する変更タイミングを遅らせることとした。
【０１２６】
そのため、第一仕様と第二仕様とが混在した吸収性物品１、すなわち、不良品の数を減少させることができる。
【０１２７】
また、本実施の形態においては、吸収性物品１は糸ゴム９を備え、第一仕様の吸収性物品１と第二仕様の吸収性物品１とでは、糸ゴム９の応力が異なっており、切り換え工程において糸ゴム９に接着剤を塗布する接着剤塗布条件を前記製造条件として変更するか否かを、応力の異なり度合いに応じて決定することとした。
【０１２８】
そのため、吸収性物品１の仕様変更があると常に接着剤塗布条件の変更を行うのではなく、異なり度合いが微小なとき等には接着剤塗布条件を変更しないこととなるため、かかる際には不良品の発生を回避できる。また、接着剤塗布条件を変更するという決定になったときには、前述した変更タイミングを遅らせる方策により、不良品の数を減らすことが可能となる。
【０１２９】
＝＝＝その他の実施形態＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【０１３０】
上記実施の形態においては、製造条件として、シート状資材供給条件、吸収体供給条件、弾性部材供給条件、プレス条件、エンボス形成条件、検査条件、接着剤塗布条件、プリント形成条件、テンション条件を挙げたが、これに限定されるものではない。一例として、改質剤を塗布する改質剤塗布条件を挙げることができる。改質剤とは、例えば、排泄液のすべりや吸収を良くする成分や、吸収性物品に接触する肌の肌荒れを抑制する成分や、排泄液による異臭を抑制する成分を有する液体等を挙げることができる。
【０１３１】
また、シート状資材供給条件としてバックフィルム資材供給条件を挙げたが、これに限定されるものではない。例えば、トップシート資材供給条件やバック不織布資材供給条件であってもよい。
【０１３２】
また、上記実施の形態においては、吸収体材料供給条件を変更する例としてパルプ繊維や高吸収性ポリマー（ＳＡＰ）の量を変える例を挙げたが、これに限定されるものではない。例えば、パルプ繊維や高吸収性ポリマー（ＳＡＰ）の種類を変える例であってもよい。
【０１３３】
また、プレス条件を変更する例として隙間（クリアランス）の大きさを変える例を挙げたが、これに限定されるものではない。例えば、吸収体プレス装置２５の二つのプレスローラー２５ａの間には隙間がなく、プレスの大きさは二つのプレスローラー２５ａが接触する接触圧で管理されており、当該接触圧の大きさを変える例であってもよい。また、プレスローラー２５ａは加熱ローラーとなっており、当該加熱ローラーの設定温度を変える例であってもよい。
【０１３４】
また、エンボス形成条件を変更する事例としてエンボスパターンを変える例を挙げたが、これに限定されるものではない。例えば、エンボスの圧力や位置を変える例であってもよい。
【０１３５】
また、上記実施の形態においては、弾性部材として糸ゴム９を例に挙げたが、これに限定されるものではない。例えば、弾性を有するシート状部材であってもよい。
【０１３６】
また、上記実施の形態においては、テンション条件を変更するか否かを、バックフィルム資材６の厚みの変更度合いに応じて、決定した結果（ステップＳ７）、変更しないこととしたが、これに限定されるものではなく、変更することとしてもよい。そして、かかる際には、テンション条件の変更タイミングをバックフィルム資材供給条件の変更タイミングよりも遅らせることとなる。
【符号の説明】
【０１３７】
１  吸収性物品、２  吸収体
３  トップシート資材、３ａ  資材コイル
５  バックシート資材
６  バックフィルム資材、６ａ  資材コイル
７  バック不織布資材、７ａ  資材コイル
８  基材シート
９  糸ゴム、９ａ  糸ゴムコイル
１０  吸収性物品製造装置、１２  第一塗布装置、１３  第二塗布装置
１４  第三塗布装置、１５  第四塗布装置
２１  積繊ドラム装置、２１ａ  回転ドラム、２３  ベルトコンベア
２５  吸収体プレス装置、２５ａ  プレスローラー
２７  エンボス形成装置、２７ａ  エンボス形成ローラー
２７ｂ  第一エンボス形成装置、２７ｃ  第二エンボス形成装置
２９  エンドカッター
３１  インクジェット装置、３３  検査カメラ装置
３５  テンション調整装置、３６  第一テンション調整装置
３７  第二テンション調整装置、３８  第三テンション調整装置
【図１】
2019000584.tif 000003
【図２】
2019000584.tif 000004
【図３】
2019000584.tif 000005
【図４】
2019000584.tif 000006
【図５】
2019000584.tif 000007
【図６】
2019000584.tif 000008
【図７】
2019000584.tif 000009
【図８】
2019000584.tif 000010
【図９】
2019000584.tif 000011